(57)【要約】【課題】電源電圧を平滑化するためのコンデンサを電源装置からの給電開始時および再給電開始時に自動的に充電し、コンデンサが電源装置からの突入電流により機能しなくなることを適確に防止するとともに、従来の手操作を不要として効率化を図ったコンデンサ自動充電装置を提供する。【解決手段】給電開始時または再給電開始時に電源装置３がオン状態になって、電源装置３からの給電が開始されると、電流制限回路１５で制限された電流でコンデンサ収容箱７のコンデンサ７３を充電し、給電開始時から所定の遅延時間の後に投入切断監視回路１１はスルー回路１３をオン状態に制御し、このスルー回路により電流制限回路１５を短絡して電源装置３からの電源電圧をスルー回路１３を介してコンデンサ７３に直接的に供給するとともに、コンデンサ７３を通信設備（負荷装置）９にスルー回路１３を介して直接的に接続する。【選択図】      図１
2004159463.tif 000002
【特許請求の範囲】
【請求項１】
電源装置からケーブルを介して接続される負荷装置側に設けられ、電源装置から負荷装置に供給される電源電圧を平滑化するためのコンデンサを電源装置からの給電開始時および再給電開始時に自動的に充電するコンデンサ自動充電装置であって、
電源装置からの電源電圧をコンデンサに供給すべく電源装置とコンデンサとの間に接続され、電源装置のオフ時、給電開始時点および再給電開始時点では電源装置からの電源電圧がコンデンサに直接供給されないようにオフ状態になっているスルー回路と、
このスルー回路に並列に接続され、電源装置からコンデンサに突入電流が流れないように電源装置からコンデンサに流れる電流を制限し、この制限された電流でコンデンサを充電する電流制限回路と、
電源装置からの電源電圧を監視すべく電源装置に接続され、電源装置がオン状態になって、電源装置からの給電が開始されると、所定の遅延時間の後、作動し、前記スルー回路をオン状態に制御し、このスルー回路により前記電流制限回路を短絡して電源装置からの電源電圧をスルー回路を介してコンデンサに直接的に供給するように制御する投入切断監視回路と
を有することを特徴とするコンデンサ自動充電装置。
【請求項２】
前記所定の遅延時間は、電源装置から電流制限回路を介して電源電圧によりコンデンサに所定の電圧が充電されるまでの時間であることを特徴とする請求項１記載のコンデンサ自動充電装置。
【請求項３】
前記スルー回路は、オン−オフ開閉するスイッチを有することを特徴とする請求項１または２記載のコンデンサ自動充電装置。
【請求項４】
前記電流制限回路は、抵抗を有することを特徴とする請求項１乃至３のいずれか１項に記載のコンデンサ自動充電装置。
【請求項５】
前記投入切断監視回路は、前記所定の遅延時間に対応する遅延動作を行うタイマリレーを有することを特徴とする請求項１乃至４のいずれか１項に記載のコンデンサ自動充電装置。
【発明の詳細な説明】
【０００１】
【発明の属する技術分野】
本発明は、例えば電子交換機などの通信設備に電源電圧を供給する通信用の電源装置の平滑用のコンデンサを電源装置の給電開始時および再給電開始時に自動的に充電するコンデンサ自動充電装置に関し、更に詳しくは、電源装置からケーブルを介して接続される負荷装置側においてコンデンサ収容箱内に収容されて設けられ、電源装置から負荷装置に供給される電源電圧を平滑化するためのコンデンサを電源装置からの給電開始時および再給電開始時に自動的に充電するコンデンサ自動充電装置に関する。
【０００２】
【従来の技術】
この種の通信用の電源装置、コンデンサ収容箱および通信設備（負荷装置）は、従来、図６に示すように接続され、コンデンサ収容箱７に収容された例えば１装置当り６０万μＦのような大容量のコンデンサにより負荷装置である通信設備９に対する電源電圧の平滑化を図っている。
【０００３】
図６に示すように、通信用電源装置６０は、整流回路６１と保護回路６３から構成され、この通信用電源装置６０からの電源電圧がコンデンサ収容箱７のコンデンサおよび通信設備９の負荷装置に供給されるようになっているが、通信用電源装置６０の投入時、すなわち給電開始時や停電後などの再給電開始時には、通信用電源装置６０からコンデンサ収容箱７のコンデンサに過大な突入電流が流れ、この過大な突入電流によりコンデンサ収容箱７のコンデンサ用に設けられているヒューズが焼損し、コンデンサ収容箱７が機能しなくなったり、通信用電源装置６０が破損するということがある。
【０００４】
そこで、従来は、通信用電源装置６０の投入時には、コンデンサ収容箱７のコンデンサに過大な突入電流が流れないように手操作による回路接続手順によりコンデンサ収容箱７のコンデンサへの充電電流の供給を行っている。
【０００５】
具体的には、ショートバーで短絡された抵抗を介してコンデンサ収容箱７のコンデンサを通信用電源装置６０に接続するように構成しておく。そして、通信用電源装置６０の投入時には、手操作によりショートバーを外し、抵抗を介して通信用電源装置６０からの電源電圧をコンデンサ収容箱７のコンデンサに供給し、これによりコンデンサを徐々に充電し、突入電流がコンデンサ収容箱７のコンデンサに流れないようにしている。そして、コンデンサに充電された電圧が例えば数分後に所定の電圧以上になってから、ショートバーを接続して抵抗を短絡し、スルー状態にするようにしている。
【０００６】
コンデンサ収容箱７のコンデンサに通信用電源装置６０から突入電流が流れる場合において、通信用電源装置６０の供給電流に十分な余裕がない場合には、通信用電源装置６０からの給電開始時の突入電流の影響により供給電圧の立ち上がり特性が例えば図の二点鎖線で示すように急峻にならずなだらかになるため、同一系統の通信設備９の電源回路が一定時間後に電圧異常（低下）を検出して停止する場合もある。なお、図５において、実線で示す特性は、正常な場合の供給電圧の立ち上がり特性であり、この正常時の立ち上がり特性に比較して突入電流がある場合には、図５において時間差Ｔとして示すような供給電圧の立ち上がり遅れが発生する。
【０００７】
従来の技術では、突入電流の発生を抑止する回路は電源装置内にあり、電源投入時に負荷設備に流れ出す過大電流を抑止することで、電源装置自体の破壊や焼損の恐れを未然防止することを目的としていた（特許文献１）。
【０００８】
また、従来の技術では、負荷電流の大きさを一定以内に抑える技術であり、通信用電源装置の供給電流に充分な余裕が無い場合は、給電開始時の突入電流の影響により供給電圧の立ち上がり特性が急峻にならずなだらかになるため、同一系の通信設備の電源回路が一定時間後に電圧異常（電圧低下）を検出して停止する恐れがある（特許文献２）。
【０００９】
【特許文献１】
特開平５−１５０１５号公報
【００１０】
【特許文献２】
特開平５−２７４０６１号公報
【００１１】
【発明が解決しようとする課題】
上述したように、従来は、通信用電源装置６０の投入時の過大な突入電流を防止するために、手操作による回路接続手順によりコンデンサ収容箱７のコンデンサへの充電電流の供給を行っているため、電源投入時の度に多大な手間がかかり、非効率的であるという問題がある。
【００１２】
また、運用開始後に突発的な停電または通信用電源装置６０の故障などにより通信用電源装置６０からの給電が停止し、その後、停電が回復するかまたは通信用電源装置６０の故障が直って、通信用電源装置６０からの再給電が開始された再給電開始時において、手操作による回路接続手順を正規に行うことができない場合には、通信用電源装置６０からコンデンサ収容箱７のコンデンサに過大な突入電流が流れてしまい、この過大な突入電流によりコンデンサ収容箱７のコンデンサ用に設けられているヒューズが焼損し、コンデンサ収容箱７が機能しなくなったり、通信用電源装置６０が破損するという問題がある。
【００１３】
本発明は、上記に鑑みてなされたもので、その目的とするところは、電源装置から負荷装置に供給される電源電圧を平滑化するために設けられているコンデンサを電源装置からの給電開始時および再給電開始時に自動的に充電し、コンデンサが電源装置からの突入電流により機能しなくなることを適確に防止するとともに、従来の手操作を不要として効率化を図ったコンデンサ自動充電装置を提供することにある。
【００１４】
【課題を解決するための手段】
上記目的を達成するため、請求項１記載の本発明は、電源装置からケーブルを介して接続される負荷装置側に設けられ、電源装置から負荷装置に供給される電源電圧を平滑化するためのコンデンサを電源装置からの給電開始時および再給電開始時に自動的に充電するコンデンサ自動充電装置であって、電源装置からの電源電圧をコンデンサに供給すべく電源装置とコンデンサとの間に接続され、電源装置のオフ時、給電開始時点および再給電開始時点では電源装置からの電源電圧がコンデンサに直接供給されないようにオフ状態になっているスルー回路と、このスルー回路に並列に接続され、電源装置からコンデンサに突入電流が流れないように電源装置からコンデンサに流れる電流を制限し、この制限された電流でコンデンサを充電する電流制限回路と、電源装置からの電源電圧を監視すべく電源装置に接続され、電源装置がオン状態になって、電源装置からの給電が開始されると、所定の遅延時間の後、作動し、前記スルー回路をオン状態に制御し、このスルー回路により前記電流制限回路を短絡して電源装置からの電源電圧をスルー回路を介してコンデンサに直接的に供給するように制御する投入切断監視回路とを有することを要旨とする。
【００１５】
請求項１記載の本発明にあっては、給電開始時または再給電開始時に電源装置がオン状態になって、電源装置からの給電が開始されると、電流制限回路で制限された電流でコンデンサを充電し、給電開始時から所定の遅延時間の後にスルー回路をオン状態に制御し、このスルー回路により電流制限回路を短絡して電源装置からの電源電圧をスルー回路を介してコンデンサに直接的に供給するとともに、コンデンサを負荷装置にスルー回路を介して直接的に接続するため、電源装置の投入時における手操作による回路接続処理を従来のように行う必要がなく、多大な手間を不要として効率化を図ることができるとともに、電源を投入した場合の給電開始時や停電後の再給電開始時にコンデンサに過大な突入電流が流れることが防止され、コンデンサ用のヒューズが焼損して機能しなくなったり、電源装置が破損するということがなくなり、また電源を急速に立ち上げることができる。
【００１６】
また、請求項２記載の本発明は、請求項１記載の発明において、前記所定の遅延時間が、電源装置から電流制限回路を介して電源電圧によりコンデンサに所定の電圧が充電されるまでの時間であることを要旨とする。
【００１７】
請求項２記載の本発明にあっては、所定の遅延時間がコンデンサに所定の電圧が充電されるまでの時間であるため、コンデンサが所定の電圧に充電されてからスルー回路で電流制限回路を短絡して電源装置がスルー回路を介してコンデンサに直接的に接続され、電源装置からコンデンサに突入電流が流れることがない。
【００１８】
更に、請求項３記載の本発明は、請求項１または２記載の発明において、前記スルー回路が、オン−オフ開閉するスイッチを有することを要旨とする。
【００１９】
請求項４記載の本発明は、請求項１乃至３のいずれか１項に記載の発明において、前記電流制限回路が、抵抗を有することを要旨とする。
【００２０】
また、請求項５記載の本発明は、請求項１乃至４のいずれか１項に記載の発明において、前記投入切断監視回路が、前記所定の遅延時間に対応する遅延動作を行うタイマリレーを有することを要旨とする。
【００２１】
【発明の実施の形態】
以下、図面を用いて本発明の実施の形態を説明する。図１は、一実施形態に係るコンデンサ自動充電装置の構成を示すブロック図である。同図に示すコンデンサ自動充電装置１は、複数の通信設備（負荷装置）９にヒューズ５を介して電源電圧を供給する電源装置３の負荷装置側にヒューズ５を介して接続され、このコンデンサ自動充電装置１を介して電源装置３からの電源電圧がコンデンサ収容箱７に供給されるようになっている。コンデンサ収容箱７は、電源電圧を平滑化するための複数のコンデンサ７３を有し、この複数のコンデンサ７３はヒューズ７１を介してコンデンサ自動充電装置１に接続されている。なお、電源装置３は、例えば−４８Ｖの電源電圧を出力するものである。
【００２２】
コンデンサ自動充電装置１は、タイマ回路を有する投入切断監視回路１１、スルー回路１３および電流制限回路１５から構成されている。スルー回路１３は、電源装置３からの電源電圧をヒューズ５を介して直接コンデンサ収容箱７に供給したり、この電源電圧の供給を遮断する例えばオン−オフ開閉スイッチから構成されている。
【００２３】
投入切断監視回路１１は、電源装置３からのヒューズ５を介して通信設備９に供給される電源電圧を監視し、この電源電圧が所定の電圧値以下に低下すると、スルー回路１３に対して開放指示し、スルー回路１３のオン−オフ開閉スイッチをオフ状態に制御する。また、投入切断監視回路１１は、電源電圧を監視し、この電源電圧が所定の電圧値以下から所定の電圧値以上に回復すると、所定の遅延時間である突入電流制御タイミングをもって電流制限回路１５を制御するようになっている。
【００２４】
また、電流制限回路１５は、具体的には抵抗で構成され、コンデンサ収容箱７に収容されている複数のコンデンサ７３に電源装置３からの突入電流が流れないように電源装置３から複数のコンデンサ７３に流れる電流を制限しながらプリチャージを行う。
【００２５】
図２は、図１に示すコンデンサ自動充電装置１の詳細な回路構成を示す回路図である。同図に示すように、投入切断監視回路１１は、グランド（ＧＮＤ）と−４８Ｖの電源電圧との間に接続されたタイマリレー（ＲＬ１）１１１、このタイマリレー１１１の巻線に並列に接続され、タイマリレー１１１の巻線による逆電圧を防止する逆電圧防止用ダイオード１１３、グランドと−４８Ｖの電源電圧との間に直列接続されたタイマリレー１１１のメーク接点１１１ａとスルーリレー（ＲＬ２）１１５、このスルーリレー１１５の巻線に並列に接続され、スルーリレー１１５の巻線による逆電圧を防止する逆電圧防止用ダイオード１１７、およびグランドと−４８Ｖの電源電圧との間に直列接続された抵抗１１９と発光ダイオードからなる運転中表示ランプ１２１とスルーリレー１１５のメーク接点１１５ｄの直列回路から接続されている。
【００２６】
タイマリレー１１１は、電源装置３が投入されて電源装置３から給電が開始されると、この給電開始から所定の遅延時間の後に作動する遅延リレーである。なお、この所定の遅延時間は、電源装置３から電流制限回路１５の抵抗を介して電源電圧により所定の電圧が充電されるまでの時間であり、例えば１０〜６０秒である。
【００２７】
電流制限回路１５は、並列接続された２個の抵抗１３１，１３２から構成され、この両抵抗１３１，１３２は−４８Ｖの電源電圧とコンデンサ収容箱７との間に接続され、これにより電源装置３からの電源電圧は抵抗１３１，１３２を介してコンデンサ収容箱７のコンデンサ７３に供給され、電源電圧によりコンデンサ７３に供給される充電電流は抵抗１３１，１３２により制限され、これにより突入電流がコンデンサ７３に流れないようになっている。なお、抵抗１３１，１３２の抵抗値はそれぞれ例えば５０Ω程度である。
【００２８】
スルー回路１３は、並列接続されたスルーリレー１１５の３個のメーク接点１１５ａ，１１５ｂ，１１５ｃから構成され、これらのメーク接点１１５ａ，１１５ｂ，１１５ｃは−４８Ｖの電源電圧とコンデンサ収容箱７との間に接続され、これにより電流制限回路１５の抵抗１３１，１３２を短絡するようになっている。
【００２９】
また、−４８Ｖの電源電圧とコンデンサ収容箱７との間にはＵＰ型ショートバー１８が接続され、このＵＰ型ショートバー１８を外して開放することにより、−４８Ｖの電源電圧がコンデンサ収容箱７に供給されないようになっている。
【００３０】
更に、図２に示すコンデンサ自動充電装置１は、スルーリレー１１５のブレーク接点１１５ｅからなる警報回路１９を有し、この警報回路１９から警報信号が例えば図示しないメンテナンスルームなどに送信され、警報が発せられるようになっている。
【００３１】
次に、以上のように構成される本実施形態のコンデンサ自動充電装置１の作用について図３および図４に示すフローチャートも参照しながら説明する。
【００３２】
まず、図３に示すフローチャートを参照して、給電開始時の作用について説明する。
【００３３】
電源装置３がオフ状態にある場合には、図２に示す投入切断監視回路１１のタイマリレー１１１およびスルーリレー１１５は作動してなく、オフ状態にあり、それらの各メーク接点は開いており、各ブレーク接点は閉じている。従って、この状態では、電流制限回路１５の抵抗１３１，１３２はスルーリレー１１５のメーク接点１１５ａ，１１５ｂ，１１５ｃによって短絡されず、電源装置３がヒューズ５、抵抗１３１，１３２を介してコンデンサ収容箱７のコンデンサ７３に接続されている。すなわち、コンデンサ収容箱７のコンデンサ７３は、電流制限回路１５の抵抗１３１，１３２を介して複数の通信設備９に接続されるとともに、抵抗１３１，１３２、ヒューズ５を介して電源装置３に接続されている。
【００３４】
このような状態において、電源装置３のスイッチなどが投入され、電源装置３からの給電が開始すると、電源装置３からの−４８Ｖの電源電圧は図５において実線で示すように急峻に立ち上がり、ヒューズ５を介して複数の通信設備９に供給されるとともに、コンデンサ自動充電装置１に供給される。
【００３５】
コンデンサ自動充電装置１においては、電源装置３からの電源電圧は、投入切断監視回路１１で監視されるとともに、また電源電圧は電流制限回路１５の抵抗１３１，１３２を介してコンデンサ収容箱７のコンデンサ７３に供給され、コンデンサ７３は電源電圧により抵抗１３１，１３２を介した制限電流を供給され、コンデンサ７３への定電流充電が制限電流により開始される。
【００３６】
更に詳しくは、この給電開始時において、投入切断監視回路１１では、電源装置３からの電源電圧は、タイマリレー（ＲＬ１）１１１に供給され、タイマリレー（ＲＬ１）１１１はタイマ動作、すなわち遅延動作を開始して、タイマのタイムアップ待ち状態にあり、そのメーク接点１１１ａは開いた状態にある（図３のステップＳ１１）。従って、スルーリレー（ＲＬ２）１１５は動作してなく、オフ状態にあり、そのメーク接点１１５ａ，１１５ｂ，１１５ｃも開いていて、電流制限回路１５の抵抗１３１，１３２を短絡していなく、電源装置３からの電源電圧が抵抗１３１，１３２を介してコンデンサ収容箱７のコンデンサ７３に供給され、これによりコンデンサ７３は制限電流で充電開始する。
【００３７】
投入切断監視回路１１のタイマリレー（ＲＬ１）１１１がタイマ動作を開始し、コンデンサ収容箱７のコンデンサ７３の充電電圧が所定の電圧値に達したと思われる所定の遅延時間、例えば１０〜６０秒が経過すると、タイマリレー（ＲＬ１）１１１によるタイマ動作は終了し、タイマリレー（ＲＬ１）１１１は動作する（ステップＳ１３）。
【００３８】
タイマリレー（ＲＬ１）１１１が動作すると、そのメーク接点１１１ａが閉じ、これによりスルーリレー（ＲＬ２）１１５が動作して、スルー回路１３にあるスルーリレー（ＲＬ２）１１５のメーク接点１１５ａ，１１５ｂ，１１５ｃが閉じ、これにより電流制限回路１５の抵抗１３１，１３２を短絡し、電源装置３の−４８Ｖの電源電圧をメーク接点１１５ａ，１１５ｂ，１１５ｃを介して直接的にコンデンサ収容箱７のコンデンサ７３に供給する（ステップＳ１５）。
【００３９】
また、スルーリレー（ＲＬ２）１１５が動作すると、そのメーク接点１１５ｄも閉じ、これによりグランドから抵抗１１９、運転中表示ランプ１２１、メーク接点１１５ｄの経路を介して電源装置３の電源電圧に電流が流れて、運転中表示ランプ１２１が点灯（ＯＮ）し、運転中であることを表示する（ステップＳ１７）。なお、スルーリレー（ＲＬ２）１１５が動作すると、そのブレーク接点１１５ｅが開き、これにより警報回路１９の警報信号の出力をオフ（ＯＦＦ）状態にする（ステップＳ１９）。
【００４０】
次に、図４に示すフローチャートを参照して、上述したように電源装置３から給電が行われている場合に突発的な停電または電源装置３の故障などにより電源装置３による給電が停止した場合の切断処理について説明する。
【００４１】
電源装置３の給電が停止すると、電源装置３の電源電圧が低下し、この低下に合わせてコンデンサ収容箱７のコンデンサ７３は放電する。そして、給電停止から所定時間経過するとともに電源電圧も所定の電圧値以下に低下すると、タイマリレー（ＲＬ１）１１１は復旧し、そのメーク接点１１１ａは開く（ステップＳ２１）。
【００４２】
タイマリレー（ＲＬ１）１１１のメーク接点１１１ａが開くと、スルーリレー（ＲＬ２）１１５も復旧し、そのメーク接点１１５ａ，１１５ｂ，１１５ｃも開き、抵抗１３１，１３２の短絡を解除する（ステップＳ２３）。また、スルーリレー（ＲＬ２）１１５の復旧でメーク接点１１５ｄが開き、ブレーク接点１１５ｅが閉じるが、このメーク接点１１５ｄの開放により運転中表示ランプ１２１はオフとなり（ステップＳ２５）、またメーク接点１１５ｄの閉成により警報回路１９から警報信号が出力され、これにより電源装置３の給電停止が報知される（ステップＳ２７）。
【００４３】
このような電源装置３の給電停止から、停電が回復するかまたは電源装置３の故障が直って、電源装置３から再給電が開始される場合には、タイマリレー（ＲＬ１）１１１およびスルーリレー（ＲＬ２）１１５は両方とも復旧してオフ状態にあるため、スルー回路１３のメーク接点１１５ａ，１１５ｂ，１１５ｃはすべて開放状態にあり、電流制限回路１５の抵抗１３１，１３２は短絡されてなく、電源装置３からの再給電電圧は電流制限回路１５の抵抗１３１，１３２を介してコンデンサ収容箱７のコンデンサ７３に供給されるため、コンデンサ７３には突入電流は流れず、抵抗１３１，１３２を介して制限電流がコンデンサ７３への充電が行われる。なお、再給電開始時の動作は、図３のフローチャートを参照して行った説明と同じであるので、これ以上の説明は省略する。
【００４４】
【発明の効果】
以上説明したように、本発明によれば、給電開始時または再給電開始時に電源装置がオン状態になって、電源装置からの給電が開始されると、電流制限回路で制限された電流でコンデンサを充電し、給電開始時から所定の遅延時間の後にスルー回路をオン状態に制御し、このスルー回路により電流制限回路を短絡して電源装置からの電源電圧をスルー回路を介してコンデンサに直接的に供給するとともに、コンデンサを負荷装置にスルー回路を介して直接的に接続するので、電源装置の投入時における手操作による回路接続処理を従来のように行う必要がなく、多大な手間を不要として効率化を図ることができるとともに、電源を投入した場合の給電開始時や停電後の再給電開始時にコンデンサに過大な突入電流が流れることが防止され、コンデンサ用のヒューズが焼損して機能しなくなったり、電源装置が破損するということがなくなり、また電源を急速に立ち上げることができる。
【００４５】
また、本発明によれば、所定の遅延時間がコンデンサに所定の電圧が充電されるまでの時間であるので、コンデンサが所定の電圧に充電されてからスルー回路で電流制限回路を短絡して電源装置がスルー回路を介してコンデンサに直接的に接続され、電源装置からコンデンサに突入電流が流れることがない。
【図面の簡単な説明】
【図１】本発明の一実施形態に係るコンデンサ自動充電装置の構成を示すブロック図である。
【図２】図１に示す実施形態のコンデンサ自動充電装置の詳細な回路構成を示す回路図である。
【図３】図１、図２に示す実施形態のコンデンサ自動充電装置の作用を示すフローチャートである。
【図４】図１、図２に示す実施形態のコンデンサ自動充電装置の別の作用を示すフローチャートである。
【図５】電源装置から出力される電源電圧の時間経過に対する正常な立ち上がり特性と突入電流がある場合の立ち上がり特性を示すグラフである。
【図６】従来の通信用の電源装置、コンデンサ収容箱および通信設備（負荷装置）の接続関係とコンデンサ収容箱への過大な突入電流による問題を説明するための図である。
【符号の説明】
１  コンデンサ自動充電装置
３  電源装置
７  コンデンサ収容箱
９  通信設備（負荷装置）
１１  投入切断監視回路
１３  スルー回路
１５  電流制限回路
１９  警報回路
７３  コンデンサ
１１１  タイマリレー（ＲＬ１）
１１１ａ  タイマリレー（ＲＬ１）のメーク接点
１１５  スルーリレー（ＲＬ２）
１１５ａ，１１５ｂ，１１５ｃ，１１５ｄ  スルーリレー（ＲＬ２）のメーク接点
１１５ｅ  スルーリレー（ＲＬ２）のブレーク接点
１２１  運転中表示ランプ
１３１，１３２  抵抗
【図１】
2004159463.tif 000003
【図２】
2004159463.tif 000004
【図３】
2004159463.tif 000005
【図４】
2004159463.tif 000006
【図５】
2004159463.tif 000007
【図６】
2004159463.tif 000008